(57)【要約】  【課題】陰茎の出し入れ容易性及び陰茎挿通部からの漏れ防止性を両立させる。  【解決手段】上記課題は、外装体２０における吸収体１３のウエスト側に、内外に通じる陰茎挿通部３０が設けられるとともに、陰茎挿通部３０よりもウエスト側の縦方向長さを伸縮する折り畳み式伸縮部４０が設けられている、パンツタイプ使い捨ておむつにより解決される。【選択図】図７
2014188190.tif 000002
【特許請求の範囲】
【請求項１】
排尿位置をカバーする吸収体と、この吸収体のウエスト側に延びるウエスト側領域とを有し、
このウエスト側領域に、内外に通じる陰茎挿通部が設けられるとともに、この陰茎挿通部のウエスト側の縦方向長さを伸縮する伸縮部が設けられている、
ことを特徴とする男性用吸収性物品。
【請求項２】
前記伸縮部が、ウエスト側領域を形成する部材を展開可能に折り畳んだ折り畳み式伸縮部である、請求項１記載の男性用吸収性物品。
【請求項３】
前記伸縮部の折り畳み状態での固定及びその固定の解除を行う着脱手段が設けられている、請求項２記載の男性用吸収性物品。
【請求項４】
前記ウエスト側領域を形成する部材の折り畳みが、前記陰茎挿通部の幅方向両側までなされているとともに、当該陰茎挿通部の幅方向両側で折り畳み状態で固定されて固定部が形成され、かつこれら固定部間は非固定で展開可能な部分とされている、請求項２又は３記載の男性用吸収性物品。
【請求項５】
前記陰茎挿通部が、前記伸縮部の折り畳みにより外面から隠れる部位に設けられている、請求項２〜４のいずれか１項に記載の男性用吸収性物品。
【請求項６】
前記折り畳み式伸縮部は、幅方向に沿う谷折り部と、この谷折り部の外側かつウエスト側に位置する幅方向に沿う山折り部とからなる断面Ｚ字状の伸縮部である、請求項２〜５のいずれか１項に記載の男性用吸収性物品。
【請求項７】
前記折り畳み式伸縮部は、幅方向に沿う谷折り部と、この谷折り部の外側かつ股間側に位置する幅方向に沿う山折り部とからなる断面Ｚ字状の伸縮部である、請求項２〜５のいずれか１項に記載の男性用吸収性物品。
【請求項８】
前身頃及び後身頃を有する外装体と、この外装体の内面に固定された、吸収体を含む内装体とを備え、前記外装体の前身頃と後身頃とが両側部において接合されることにより、ウエスト開口部及び左右一対のレッグ開口部が形成された、パンツタイプ男性用吸収性物品であって、
前記外装体に前記陰茎挿通部及び伸縮部が形成されている、請求項１〜７のいずれか１項に記載の男性用吸収性物品。
【発明の詳細な説明】
【技術分野】
【０００１】
本発明は、陰茎の出し入れ容易性に優れる男性用吸収性物品に関するものである。
【背景技術】
【０００２】
近時、男性の軽失禁用に適するものとして、特許文献１に示されるように、外装シートにおける吸収体の前端部よりも前側に幅方向に沿うスリット状の陰茎挿通部を有するパンツ型吸収性物品が提案されている。
【０００３】
しかしながら、この従来のパンツ型吸収性物品では、陰茎挿通部の位置が高すぎ、陰茎を取り出すのが困難であるという問題点があった。この問題点は、陰茎挿通部の位置を股間側に寄せることで解決できるが、その場合、腹側における吸収量を十分に確保できなくなるといった問題点や、陰茎挿通部から漏れ易くなるといった問題点がある。
【０００４】
これらの問題点を解決するものとして、特許文献２や特許文献３に記載されるように、陰茎挿通部の位置を吸収体と重なる位置まで下げるとともに、吸収体を外装シートに対してスライドできるように構成することも提案されているが、陰茎挿通部は低い位置に固定されているため、陰茎挿通部からの漏れのおそれは依然として残るものである。また、これらの先行例では、陰茎を出す際には陰茎挿通部から又はウエスト側から手を入れて内装体をスライドさせる作業が必要であるとともに、陰茎をしまう際に吸収体を元の位置に戻す必要があるため、陰茎の出し入れ容易性の点で改善の余地がある。
【先行技術文献】
【特許文献】
【０００５】
【特許文献１】特開２００８−７９８３７号公報
【特許文献２】特開２００８−５４９８７号公報
【特許文献３】特開２００９−８２４７６号公報
【発明の概要】
【発明が解決しようとする課題】
【０００６】
そこで本発明の主たる課題は、陰茎の出し入れ容易性及び陰茎挿通部からの漏れ防止性を両立させることにある。
【課題を解決するための手段】
【０００７】
上記課題を解決した本発明は次記の通りである。
＜請求項１記載の発明＞
排尿位置をカバーする吸収体と、この吸収体のウエスト側に延びるウエスト側領域とを有し、
このウエスト側領域に、内外に通じる陰茎挿通部が設けられるとともに、この陰茎挿通部のウエスト側の縦方向長さを伸縮する伸縮部が設けられている、
ことを特徴とする男性用吸収性物品。
【０００８】
（作用効果）
本発明の男性用吸収性物品において、陰茎を出さないときには陰茎挿通部が吸収体よりもウエスト側に位置しているため、排尿位置が吸収体により確実にカバーされ、排尿があれば吸収体により吸収される。よって、陰茎挿通部からの漏れ防止性は非常に高いものとなる。一方、トイレで便器に排尿する場合等、陰茎を出す際には、伸縮部を伸長させて陰茎挿通部を下方に引き下げて、陰茎挿通部から陰茎を出すことができる。よって、陰茎挿通部に陰茎を通す際に、陰茎挿通部が高すぎて取り出しが困難となることもない。また、陰茎をしまう際は、陰茎を陰茎挿通部から内部に戻した後に伸縮部を元の状態に収縮させれば良いため、作業は非常に容易である。
【０００９】
＜請求項２記載の発明＞
前記伸縮部が、ウエスト側領域を形成する部材を展開可能に折り畳んだ折り畳み式伸縮部である、請求項１記載の男性用吸収性物品。
【００１０】
（作用効果）
このような折り畳み構造とすることにより、簡素な構造で、陰茎を出し入れする際の陰茎挿通部の上下可動範囲を大きくすることができ、また製造も容易である。
【００１１】
＜請求項３記載の発明＞
前記伸縮部の折り畳み状態での固定及びその固定の解除を行う着脱手段が設けられている、請求項２記載の男性用吸収性物品。
【００１２】
（作用効果）
このような着脱手段を設けることにより、伸縮部が誤って又は不用意に下降して陰茎挿通部から尿が漏れ出たり、装着感が悪化したりするのを防止できる。
【００１３】
＜請求項４記載の発明＞
前記ウエスト側領域を形成する部材の折り畳みが、前記陰茎挿通部の幅方向両側までなされているとともに、当該陰茎挿通部の幅方向両側で折り畳み状態で固定されて固定部が形成され、かつこれら固定部間は非固定で展開可能な部分とされている、請求項２又は３記載の男性用吸収性物品。
【００１４】
（作用効果）
このような構造を採用することにより、伸縮部の伸縮を繰り返しても折り畳み構造が崩れることなく維持され、また、伸縮部が誤って又は不用意に下降し難くなる。よって、陰茎挿通部から尿が漏れ出たり、装着感が悪化したりするのを防止できる。
【００１５】
＜請求項５記載の発明＞
前記陰茎挿通部が、前記伸縮部の折り畳みにより外面から隠れる部位に設けられている、請求項２〜４のいずれか１項に記載の男性用吸収性物品。
【００１６】
（作用効果）
このように折り畳み構造を利用して陰茎挿通部を隠すことにより、見栄えが良好となる。また、例えば陰茎挿通部を簡素なスリットとしても、陰茎挿通部を介して内部が露出しなくなり、漏れ防止性も向上する。
【００１７】
＜請求項６記載の発明＞
前記折り畳み式伸縮部は、幅方向に沿う谷折り部と、この谷折り部の外側かつウエスト側に位置する幅方向に沿う山折り部とからなる断面Ｚ字状の伸縮部である、請求項２〜５のいずれか１項に記載の男性用吸収性物品。
【００１８】
（作用効果）
このような折り畳み式伸縮部を採用すると、構造が簡素で製造容易であることはもちろん、上向きの山折り部を摘まんで下方に引き下げることにより、伸縮部を容易に展開し伸長させることができる。また、陰茎挿通部を折り畳みにより外面から隠れる部位に設けた場合には、伸縮部を展開するワンステップの作業で、陰茎挿通部の下方への引き下げと、陰茎挿通部の現出とを容易に実施できる。なお、山折り、谷折りは外面から見たときの折り方向を意味する（以下、同じ）。
【００１９】
＜請求項７記載の発明＞
前記折り畳み式伸縮部は、幅方向に沿う谷折り部と、この谷折り部の外側かつ股間側に位置する幅方向に沿う山折り部とからなる断面Ｚ字状の伸縮部である、請求項２〜５のいずれか１項に記載の男性用吸収性物品。
【００２０】
（作用効果）
このような折り畳み式伸縮部を採用すると、構造が簡素で製造容易であることはもちろん、山折り部よりも股間側の部分を摘まんで下方に引き下げることにより、伸縮部を容易に展開し伸長させることができる。さらに、この構造では、谷折り部が内側に位置するため、吸収体を折り畳み構造で隠したり折ったりすることなく、最も内側で且つよりウエスト側まで存在させることができる。また、陰茎挿通部を折り畳みにより外面から隠れる部位に設けた場合には、伸縮部を展開するワンステップの作業で、陰茎挿通部の下方への引き下げと、陰茎挿通部の現出とを容易に実施できる。
【００２１】
＜請求項８記載の発明＞
前身頃及び後身頃を有する外装体と、この外装体の内面に固定された、吸収体を含む内装体とを備え、前記外装体の前身頃と後身頃とが両側部において接合されることにより、ウエスト開口部及び左右一対のレッグ開口部が形成された、パンツタイプ男性用吸収性物品であって、
前記外装体に前記陰茎挿通部及び伸縮部が形成されている、請求項１〜７のいずれか１項に記載の男性用吸収性物品。
【００２２】
（作用効果）
本発明はこのような構造のパンツタイプ使い捨ておむつに好適である。
【発明の効果】
【００２３】
以上のとおり、本発明によれば、陰茎の出し入れ容易性及び陰茎挿通部からの漏れ防止性ともに優れたものとなる、等の利点がもたらされる。
【図面の簡単な説明】
【００２４】
【図１】サイドシール部を外して展開した状態の男性用吸収性物品の内面側を示す平面図である。
【図２】サイドシール部を外して展開した状態の男性用吸収性物品の外面側を示す平面図である。
【図３】サイドシール部及び伸縮部の固定外して展開した状態の男性用吸収性物品の要部を示す平面図である。
【図４】（ａ）図１のＣ−Ｃ断面図、（ｂ）伸縮部を展開した状態のＣ−Ｃ断面の要部を示す断面図である。
【図５】図１のＡ−Ａ断面図である。
【図６】図１のＢ−Ｂ断面図である。
【図７】装着状態の斜視図である。
【図８】図１のＤ−Ｄ断面図である。
【図９】サイドシール部及び伸縮部の固定外して展開した状態の男性用吸収性物品の要部を示す平面図である。
【図１０】（ａ）図１のＣ−Ｃ断面相当の断面図、（ｂ）図１のＤ−Ｄ断面相当の断面図である。
【図１１】装着状態の斜視図である。
【図１２】各種形態のパンツタイプ使い捨ておむつの縦断面図である。
【図１３】各種形態のパンツタイプ使い捨ておむつの縦断面図である。
【発明を実施するための形態】
【００２５】
以下、本発明の一実施形態について、添付図面を参照しつつ詳説する。なお、用語「伸長率」は自然長を１００％としたときの値を意味する。また、図中の点模様部分はホットメルト接着剤等の接合手段を示している。
【００２６】
図１〜図８はパンツタイプ使い捨ておむつを示している。このパンツタイプ使い捨ておむつ（以下、単におむつともいう。）は、前身頃Ｆ及び後身頃Ｂをなす外装体２０と、この外装体２０の内面に固定され一体化された内装体１０とを有しており、内装体１０は液透過性表面シート１１と液不透過性裏面側シート１２との間に吸収体１３が介在されてなるものである。製造に際しては、外装体２０の内面（上面）に対して内装体１０の裏面がホットメルト接着剤などの接合手段によって接合された後に、内装体１０および外装体２０が前身頃Ｆ及び後身頃Ｂの境界である縦方向（前後方向）中央で折り畳まれ、その両側部が相互に熱溶着またはホットメルト接着剤などによって接合されてサイドシール部２１が形成されることによって、ウエスト開口部及び左右一対のレッグ開口部が形成されたパンツタイプ使い捨ておむつとなる。
【００２７】
（内装体の構造例）
内装体１０は、図４〜図６、及び図８示すように、不織布などからなる液透過性表面シート１１と、ポリエチレン等からなる液不透過性裏面側シート１２との間に、吸収体１３を介在させた構造を有しており、表面シート１１を透過した排泄液を吸収保持するものである。
【００２８】
吸収体１３の表面側（肌当接面側）を覆う液透過性表面シート１１としては、有孔または無孔の不織布や多孔性プラスチックシートなどが好適に用いられる。不織布を構成する素材繊維は、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。液透過性表面シート１１に多数の透孔を形成した場合には、尿などが速やかに吸収されるようになり、ドライタッチ性に優れたものとなる。液透過性表面シート１１は、吸収体１３の側縁部を巻き込んで吸収体１３の裏面側まで延在している。
【００２９】
吸収体１３の裏面側（非肌当接面側）を覆う液不透過性裏面側シート１２は、ポリエチレンまたはポリプロピレンなどの液不透過性プラスチックシートが用いられるが、近年はムレ防止の点から透湿性を有するものが好適に用いられる。この遮水・透湿性シートは、たとえばポリエチレンやポリプロピレン等のオレフィン樹脂中に無機充填材を溶融混練してシートを形成した後、一軸または二軸方向に延伸することにより得られる微多孔性シートである。
【００３０】
吸収体１３としては、公知のもの、例えばパルプ繊維の積繊体、セルロースアセテート等のフィラメントの集合体、あるいは不織布を基本とし、必要に応じて高吸収性ポリマーを混合、固着等してなるものを用いることができる。この吸収体１３は、形状及びポリマー保持等のため、必要に応じてクレープ紙等の、液透過性及び液保持性を有する包装シート１４によって包装することができる。
【００３１】
吸収体１３の形状は、股間部に前後両側よりも幅の狭い括れ部分１３Ｎを有する略砂時計状に形成されていると、股間部のフィット性が向上するため好ましいが、長方形とする等、公知の適宜の形状を採用することができる。括れ部分１３Ｎの寸法は適宜定めることができるが、括れ部分１３Ｎの前後方向長さはおむつ全長の２０〜５０％程度とすることができ、その最も狭い部分の幅は吸収体１３の全幅の４０〜６０％程度とすることができる。吸収体１３の前後方向長さは、排尿位置をカバーしていれば特に限定されないが、臀部から股間部を経て陰茎対向部までは延在していることが望ましい。
【００３２】
内装体１０の両側部には脚周りにフィットする立体ギャザーＢＳが形成されている。この立体ギャザーＢＳは、図５及び図６に示されるように、内装体の裏面の側部に固定された固定部と、この固定部から内装体の側方を経て内装体の表面の側部まで延在する本体部と、本体部の前後端部が倒伏状態で内装体の表面の側部に固定されて形成された倒伏部分と、この倒伏部分間が非固定とされて形成された自由部分とが、折返しによって二重シートとしたギャザー不織布１５により形成されている。
【００３３】
また、二重シート間には、自由部分の先端部等に細長状ギャザー弾性部材１６が配設されている。ギャザー弾性部材１６は、製品状態において図５に二点鎖線で示すように、弾性伸縮力により吸収体側縁部より突出する不織布部分を起立させて立体ギャザーＢＳを形成するためのものである。
【００３４】
液不透過性裏面側シート１２は、二重シート状のギャザー不織布１５の内部まで進入し、図５に示されるように、立体ギャザーＢＳの下端側において防漏壁を構成するようになっている。この液不透過性裏面側シート１２としては、排便や尿などの褐色が出ないように不透明のものを用いるのが望ましい。不透明化としては、プラスチック中に、炭酸カルシウム、酸化チタン、酸化亜鉛、ホワイトカーボン、クレイ、タルク、硫酸バリウムなどの顔料や充填材を内添してフィルム化したものが好適に使用される。
【００３５】
ギャザー弾性部材１６としては、通常使用されるスチレン系ゴム、オレフィン系ゴム、ウレタン系ゴム、エステル系ゴム、ポリウレタン、ポリエチレン、ポリスチレン、スチレンブタジエン、シリコン、ポリエステル等の素材を用いることができる。また、外側から見え難くするため、太さは９２５ｄｔｅｘ以下、テンションは１５０〜３５０％、間隔は７．０ｍｍ以下として配設するのがよい。なお、ギャザー弾性部材１６としては、図示形態のような糸状の他、ある程度の幅を有するテープ状のものを用いることもできる。
【００３６】
前述のギャザー不織布１５を構成する素材繊維も液透過性表面シート１１と同様に、ポリエチレンまたはポリプロピレン等のオレフィン系、ポリエステル系、アミド系等の合成繊維の他、レーヨンやキュプラ等の再生繊維、綿等の天然繊維とすることができ、スパンボンド法、サーマルボンド法、メルトブローン法、ニードルパンチ法等の適宜の加工方法に得られた不織布を用いることができるが、特にはムレを防止するために坪量を抑えて通気性に優れた不織布を用いるのがよい。さらにギャザー不織布１５については、尿などの透過を防止するとともに、カブレを防止しかつ肌への感触性（ドライ感）を高めるために、シリコン系、パラフィン金属系、アルキルクロミッククロイド系撥水剤などをコーティングした撥水処理不織布を用いるのが望ましい。
【００３７】
内装体１０の平面形状は略長方形とされており、その結果として吸収体１３の括れ部分１３Ｎと対応する部分に、吸収体１３を有しない余り部分１９が形成されている。このような余り部分が形成される限り、内装体１０の形状は特に限定されない。
【００３８】
（外装体の構造例）
外装体２０は、図４〜図６にも示されるように、それぞれ内側不織布２０Ａ及び外側不織布２０Ｂからなる２層構造の不織布製シートとされ、内側不織布２０Ａと外側不織布２０Ｂとの間、及び外側不織布２０Ｂをウエスト開口縁で内面側に折り返してなる折り返し部分２０Ｃの不織布間に各種弾性部材が配設され、伸縮性が付与されている。平面形状は、中間両側部にそれぞれレッグ開口部を形成するために形成された凹状の脚回りライン２９により、全体として擬似砂時計形状をなしている。
【００３９】
図示形態の外装体２０では、弾性部材として、図１〜図３に示される展開形状において、ウエスト開口部近傍２３に配置されたウエスト部弾性部材２４と、前身頃Ｆ及び後身頃Ｂに、縦方向に間隔をおいて幅方向に沿って配置された複数の腰回り弾性部材２５とを有するとともに、前身頃Ｆ及び後身頃Ｂのそれぞれにおいて、腰回り弾性部材群２５とは別に、一方のサイドシール部２１から一方のレッグ開口部に沿って股間部に向かい、股間部を横断し、かつ他方のレッグ開口部に沿って他方のサイドシール部２１に至るパターンで湾曲しつつ延在する、互いに交差することなく間隔をおいて配置された複数本の湾曲弾性部材２６，２８を備えている。これら、弾性部材２４〜２８は、それぞれその延在方向に沿って所定の伸長率で伸長された状態で固定されている。なお、本外装体２０では、脚回りライン２９に沿って前身頃Ｆのサイドシール部から後身頃Ｂのサイドシール部まで連続する、所謂脚回り弾性部材は設けられていない。
【００４０】
ウエスト部弾性部材２４は、前身頃Ｆと後身頃Ｂとが接合されたサイドシール部２１の範囲の内、ウエスト開口縁近傍に縦方向に間隔をおいて配置された複数条の糸ゴム等の細長状弾性部材であり、身体のウエスト部回りを締め付けるように伸縮力を与えることによりおむつを身体に装着するためのものである。このウエスト部弾性部材２４は、図示例では糸ゴムを用いたが、例えばテープ状の伸縮部材を用いてもよい。また、図示形態のウエスト部弾性部材２４は、ウエスト部における外側不織布２０Ｂの折り返し部分２０Ｃの不織布間に挟持されているが、内側不織布２０Ａと外側不織布２０Ｂとの間に挟持しても良い。
【００４１】
腰回り弾性部材２５は、サイドシール部２１の内、概ね上部から下部までの範囲に亘り、縦方向に間隔をおいて配置された糸ゴム等の細長状弾性部材であり、前身頃Ｆ及び後身頃Ｂの腰回り部分に夫々幅方向の伸縮力を与え、おむつを身体に密着させるためのものである。なお、ウエスト部弾性部材２４と腰回り弾性部材２５との境界は必ずしも明確でなくてよい。例えば、前身頃Ｆ及び後身頃Ｂに縦方向に間隔をおいて幅方向に配置された弾性部材の内、数は特定できなくても、上部側の何本かがウエスト部弾性部材として機能し、残りの弾性部材が腰回り弾性部材として機能していればよい。
【００４２】
後身頃Ｂにおいて、腰回り弾性部材２５とは別に配設された背側湾曲弾性部材２６は、糸ゴム等の細長状弾性部材であり、所定の曲線に沿って配置されている。背側湾曲弾性部材２６は、一本であっても良いが複数本であるのが好ましく、図示例では５本の糸ゴム等の細長状弾性部材であり、これら背側湾曲弾性部材２６は互いに交差することなく、間隔をおいて配置されている。この背側湾曲弾性部材群２６は、２，３本程度の弾性部材を間隔を密にして実質的に一束として配置されるのではなく、所定の伸縮ゾーンを形成するように３〜２０ｍｍ、好ましくは６〜１６ｍｍ程度の間隔を空けて、３本以上、好ましくは５本以上配置される。
【００４３】
外装体２０の前身頃Ｆにおいて、腰回り弾性部材群２５とは別に配設された腹側湾曲弾性部材２８は糸ゴム等の細長状弾性部材であり、所定の曲線に沿って配置されている。腹側湾曲弾性部材２８は、一本であっても良いが複数本であるのが好ましく、図示例では５本の糸状弾性部材であり、これら腹側湾曲弾性部材２８は、互いに交差することなく、間隔をおいて配置されている。この腹側湾曲弾性部材群２８も、２，３本程度の弾性部材を間隔を密にして実質的に一束として配置されるのではなく、所定の伸縮ゾーンを形成するように３〜２０ｍｍ、好ましくは６〜１６ｍｍ程度の間隔を空けて、３本以上、好ましくは５本以上配置される。
【００４４】
なお、図示例では、前身頃Ｆ及び後身頃Ｂに配置された腰回り弾性部材２５及び湾曲弾性部材２６，２８は、製造時に外装体２０に対して連続的に固定した後に、内装体１０と重なる部分の一部または全部が、所定の切断パターンで細かく切断されて収縮力が作用しない非収縮部分とされ、この非収縮部分より側方に湾曲しつつ延在する部分が収縮力の作用する収縮部分とされている。このため、腰回り弾性部材２５及び湾曲弾性部材２６，２８は、一方側のサイドシール部２１から内装体１０を横切って他方（反対）側のサイドシール部２１まで連続的に設けた後に、内装体と重なる部分の一部または全部が、細かく切断される。これにより、内装体（特に吸収体１３）の幅方向の縮こまりをより防止することができる。もちろん、腰回り弾性部材２５及び湾曲弾性部材２６，２８を、内装体１０を横切って連続的に配置することもできる。
【００４５】
上述した外装体２０は、例えば特開平４−２８３６３号公報や、特開平１１−３３２９１３号公報記載の技術により製造することができる。また、湾曲弾性部材２６，２８を内装体１０上で切断し不連続化するには、特開２００２−３５０２９号公報、特開２００２−１７８４２８号公報及び特開２００２-２７３８０８号公報に記載される切断方法が好適に採用される。
【００４６】
図示例とは異なり、湾曲弾性部材２６，２８を、前身頃Ｆ及び後身頃Ｂのいずれか一方にのみ設けるだけでも良い。また、湾曲弾性部材２６，２８を、前身頃Ｆ及び後身頃Ｂの両方に設ける場合、前身頃Ｆ側に配置された湾曲弾性部材の群の一部又は全部と、後身頃Ｂ側に配置された湾曲弾性部材Ｂの群の一部又は全部とが交差する形態（図示せず）も採用できるが、図示例のように、前身頃Ｆ側に配置された湾曲弾性部材２８の群と、後身頃Ｂ側に配置された湾曲弾性部材Ｂの群とは互いに交差することなく前後方向中間部、特に前身頃Ｆに若干偏った位置で縦方向に離間している形態が好適であり、その縦方向離間範囲９０における最小縦方向離間距離は１０〜１５ｍｍ程度とするのが好ましい。
【００４７】
さらに、湾曲弾性部材２６，２８はその全体が湾曲していなくても良く、部分的に直線状の部分を有していても良い。
【００４８】
弾性部材２４〜２８の固定時の伸長率は適宜定めることができるが、通常の成人用の場合、ウエスト部弾性部材２４は２３０〜３２０％程度、腰回り弾性部材２５は２３０〜３２０％程度、湾曲弾性部材２６，２８は２３０〜３２０％程度とすることができる。
【００４９】
（前後押えシート）
図１及び図４にも示されるように、外装体２０の内面上に取り付けられた内装体１０の前後端部をカバーし、且つ内装体１０の前後縁からの漏れを防ぐために、前後押えシート５０，６０が設けられている。図示形態について更に詳細に説明すると、前押えシート５０は、前身頃Ｆ内面のうちウエスト側端部の折り返し部分２０Ｃの内面から内装体１０の前端部と重なる位置まで幅方向全体にわたり延在しており、後押えシート６０は、後身頃Ｂ内面のうちウエスト側端部の折り返し部分２０Ｃの内面から内装体１０の後端部と重なる位置まで幅方向全体にわたり延在している。前後押えシート５０，６０の股下側縁部に幅方向の全体にわたり（中央部のみでも良い）若干の非接着部分を設けると、接着剤が食み出ないだけでなく、この部分を表面シートから若干浮かせて防漏壁として機能させることができる。
【００５０】
図示形態のように、前後押えシート５０，６０を別体として取り付けると、素材選択の自由度が高くなる利点があるものの、資材や製造工程が増加する等のデメリットもある。そのため、外装体２０をおむつ内面に折り返してなる折り返し部分２０Ｃを、吸収パッド２００と重なる部分まで延在させて、前述の押えシート５０，６０と同等の部分を形成することもできる。
【００５１】
（陰茎挿通部）
特徴的には、前身頃Ｆにおいて、吸収体１３のウエスト側に延びるウエスト側領域の股間側に、内外に通じる陰茎挿通部３０が設けられている。陰茎挿通部３０は、図示形態のように外装体２０における内装体１０と重ならない部分に設ける他、外装体２０における内装体１０と重なる部分に設けたり（この場合、外装体２０及び内装体１０を貫通して形成する他、外装体２０のみに設けて、この部分の外装体２０を内装体１０と非接合とすることも可能）、図１３（ｂ）に示すように、外装体２０を前身頃Ｆ及び後身頃Ｂで別々に設け、かつ両者を離間させる公知の外装体２０分割構造を採用する場合は、内装体１０のみに設けたりすることもできる。
【００５２】
陰茎挿通部３０の形状は限定されず、スリットや、スリットを形成するためのミシン目とする他、ある程度の開口面積を有する円形や、細長い矩形、長穴、楕円形等、適宜の形状とすることができる。漏れ防止性を重視する場合は陰茎挿通部３０の長手方向が幅方向となるのが好ましい。このような形状としても、後述する伸縮部により上下可動となるため陰茎の出し入れ容易性は損なわれることがない。また、陰茎挿通部３０の幅は、漏れ防止性の観点からは吸収体１３の幅よりも狭いことが好ましい。また、下着の前開きのように、複数の部材の合わせ目を接合せずに陰茎挿通部３０としても良い。
【００５３】
（伸縮部）
さらに、特徴的には、陰茎挿通部３０のウエスト側の縦方向長さを伸縮する伸縮部４０が設けられている。使用の際には、図７の上図及び図４（ａ）に示すように、陰茎７０を出さないときには陰茎挿通部３０が吸収体１３よりもウエスト側に位置しているため、排尿位置が吸収体１３により確実にカバーされ、排尿があれば吸収体１３により吸収される。一方、トイレで便器に排尿する場合等、陰茎７０を出す際には、図７の下図及び図４（ｂ）に示すように、伸縮部４０を伸長させて陰茎挿通部３０を下方に引き下げて、陰茎挿通部３０から陰茎７０を出すことができる。よって、陰茎挿通部３０に陰茎７０を通す際に、陰茎挿通部３０が高すぎて取り出しが困難となることもない。また、陰茎７０をしまう際は、陰茎７０を陰茎挿通部３０から内部に戻した後に伸縮部４０を元の状態に収縮させれば良いため、作業は非常に容易である。
【００５４】
伸縮部４０の構造は特に限定されないが、図１〜図８に示す形態では、ウエスト側領域を形成する部材である外装体２０を展開可能に折り畳んだ折り畳み式伸縮部４０とされている。このような折り畳み構造とすることにより、簡素な構造で、図４及び図７に示すように陰茎７０を出し入れする際の陰茎挿通部３０の上下可動範囲を大きくすることができ、また製造も容易である。
【００５５】
このような折り畳み式伸縮部４０を採用する場合、陰茎挿通部３０を、伸縮部４０の折り畳み状態でも外面に露出する部位に形成しても良いが、図１〜図８に示す形態のように、伸縮部４０の折り畳みにより外面から隠れる部位に設けるのが好ましい。このように折り畳み構造を利用して陰茎挿通部３０を隠すことにより、見栄えが良好となる。また、例えば陰茎挿通部３０を簡素なスリットとしても、陰茎挿通部３０を介して内部が露出しなくなり、漏れ防止性も向上する。
【００５６】
折り畳み式の場合、折り返し数や折り返しの向き（つまりおむつ内側に折り返していくか又は反対におりかえしていくか）は適宜定めることができるが、図１〜図８に示す形態のように、幅方向に沿う谷折り部４１と、この谷折り部４１の外側かつウエスト側に位置する幅方向に沿う山折り部４２とからなる断面Ｚ字状の折り畳み式伸縮部４０とするのは一つの好ましい形態である。このような折り畳み式伸縮部４０を採用すると、構造が簡素で製造容易であることはもちろん、上向きの山折り部４２を摘まんで下方に引き下げることにより、図４及び図７に示すように、伸縮部４０を容易に展開し伸長させることができる。また、陰茎挿通部３０を折り畳みにより外面から隠れる部位に設けた場合には、伸縮部４０を展開するワンステップの作業で、陰茎挿通部３０の下方への引き下げと、陰茎挿通部３０の現出とを容易に実施できる。
【００５７】
また、図９〜図１１に示すように、折り畳み式伸縮部４０を、幅方向に沿う谷折り部４１と、この谷折り部４１の外側かつ股間側に位置する幅方向に沿う山折り部４２とからなる断面Ｚ字状の伸縮部４０とするのも一つの好ましい形態である。このような折り畳み式伸縮部４０を採用すると、構造が簡素で製造容易であることはもちろん、山折り部４２よりも股間側の部分を摘まんで下方に引き下げることにより、図１１に示すように、伸縮部４０を容易に展開し伸長させることができる。さらに、この構造では、谷折り部４１が内側に位置するため、吸収体１３を折り畳み構造で隠したり折ったりすることなく、最も内側で且つよりウエスト側まで存在させることができる。また、陰茎挿通部３０を折り畳みにより外面から隠れる部位に設けた場合には、伸縮部４０を展開するワンステップの作業で、陰茎挿通部３０の下方への引き下げと、陰茎挿通部３０の現出とを容易に実施できる。
【００５８】
伸縮部４０は、非固定としておいても良いが、その場合、伸縮部４０が誤って又は不用意に下降して陰茎挿通部３０から尿が漏れ出たり、装着感が悪化したりするおそれがある。よって、伸縮部４０の折り畳み状態での固定及びその固定の解除を行う着脱手段４３を設けるのは好ましい。着脱手段４３としては、図１〜図１１に示す形態のようなメカニカルファスナー（面ファスナー）のフック材（雄材）や、粘着剤を用いるのが好ましいが、ホック、ボタン等を用いることもできる。具体的に図１〜図１１に示す形態のような折り畳み式構造の場合、折り畳み対向面間を着脱自在に接合するようにフック材等の着脱手段４３を想定している。着脱手段４３は、着脱容易及び肌保護の観点から、図示形態のように、おむつの外面であってかつ伸縮部４０を展開した状態で陰茎挿通部３０よりもウエスト側となる部位に設けるに触れにくい位置に設けることが望ましい。
【００５９】
図１〜図１１に示す形態のように折り畳みが外装体２０の幅方向全体にわたる場合等、折り畳み部分が陰茎挿通部３０の幅方向両側に至る場合には、当該折り畳み部分は、茎挿通部の幅方向両側で折り畳み状態で固定し（固定部が符号４４により示されている）、かつこれら固定部４４間は非固定で展開可能な部分とするのは好ましい。これにより、伸縮部４０の伸縮を繰り返しても折り畳み構造が崩れることなく維持され、また、伸縮部４０が誤って又は不用意に下降し難くなる。よって、陰茎挿通部３０から尿が漏れ出たり、装着感が悪化したりするのを防止できる。
【００６０】
折り畳み式の伸縮部４０を採用する場合、折り畳み部分の展開により下降する部分、特に少なくともウエスト側を向く折り返し部分又はその近傍に、幅方向に沿う弾性部材（図示例では腰回り弾性部材２５）を幅方向に伸長した状態で固定しておくと、この弾性部材２５の弾性伸縮が折り畳み構造の伸縮機能を補助し、伸縮部４０の弾力的な伸縮が可能となるため好ましい。すなわち、折り畳み式の伸縮部４０を展開して陰茎挿通部３０を引き下げると、これに伴い弾性部材２５が伸長し、引下げ力を解放すると弾性部材２５の収縮力により元の折り畳み状態に復帰するようになる。
【００６１】
（その他）
図１２及び図１３は、伸縮部４０の構造や、陰茎挿通部３０の位置の一例を示したものである。伸縮部４０は図１２（ａ）に示すように外装体２０の一部により形成する他、図１２（ｂ）に示すように周囲とは別の部材４５を繋ぎ合わせて柔軟性や伸縮性を補うことができる。この別の部材４５としては、ゴムシートや、網状の弾性部材を前後方向及び幅方向に伸長した状態で不織布等の基材に固定したもの等、縦方向に弾性伸縮するシートを用いることができる。後者の形態をより簡素にして、図１３（ａ）に示すように、伸縮部４０を折り畳み式とせずに、縦方向に弾性伸縮する弾性伸縮シート４６で構成しても良い。
【００６２】
他方、図１３（ｂ）に示すように、内装体１０に、前記陰茎挿通部３０及び伸縮部４０を形成するのも一つの好ましい形態である。図示形態は、伸縮部４０を縦方向に弾性伸縮する弾性伸縮シート４７で形成する場合を想定しているが、前述の外装体２０の折り畳み式伸縮部４０と同様に、内装体１０の前端部を折り畳んで折り畳み式の伸縮部としても良い。
【産業上の利用可能性】
【００６３】
本発明は、上記例のようなパンツタイプ使い捨ておむつに好適であるが、テープタイプ使い捨ておむつ等、他の吸収性物品においても利用できるものである。
【符号の説明】
【００６４】
Ｂ…後身頃、Ｆ…前身頃、１０…内装体、１１…液透過性表面シート、１２…液不透過性裏面側シート、１３…吸収体、１４…包装シート、１５…ギャザー不織布、１６…ギャザー弾性部材、２０…外装体、２０Ｃ…折り返し部分、２１…サイドシール部、２４…ウエスト部弾性部材、２５…腰回り弾性部材、２６，２８…湾曲弾性部材、２６…背側湾曲弾性部材、２８…腹側湾曲弾性部材、２９…脚回りライン、１３Ｎ…括れ部分、３０…陰茎挿通部、４０…伸縮部、７０…陰茎、４１…谷折り部、４２…山折り部、４３…着脱手段、４４…固定部。
【図１】
2014188190.tif 000003
【図２】
2014188190.tif 000004
【図３】
2014188190.tif 000005
【図４】
2014188190.tif 000006
【図５】
2014188190.tif 000007
【図６】
2014188190.tif 000008
【図７】
2014188190.tif 000009
【図８】
2014188190.tif 000010
【図９】
2014188190.tif 000011
【図１０】
2014188190.tif 000012
【図１１】
2014188190.tif 000013
【図１２】
2014188190.tif 000014
【図１３】
2014188190.tif 000015